(57)【要約】【課題】遊技機にダイナミックな変化をつけて遊技の興趣を盛り上げ、遊技者がより楽しく遊技を行うことのできるパチンコ遊技機を提供する。【解決手段】乗り物運転用のハンドル型とした一対のアーム１１、１２からなる弾球発射用操作ハンドル３０を遊技盤２の下方に突設し、アーム１１、１２の端部には把持部１３、１４を設け、この把持部１３、１４の何れか一方を回動可能として、遊技者がこれを回動した時に弾球が発射されるようにする。操作ハンドル３０の上方には、把持部１３または１４の回動と連動して弾球の発射速度を表示する弾球速度メータ１６を設けることができ、機内に弾球の発射と連動して効果音を発するスピーカーを内蔵することができる。また、遊技盤内２に動画像を表示可能な表示画面１７、１８、１９を３面配置してもよい。【選択図】　図１
2004049382.tif 000002
【特許請求の範囲】
【請求項１】
乗り物運転用のハンドル形状とした一対のアームからなる弾球発射用操作ハンドルを遊技盤の下方に突設し、前記アームのうち一方のアームの端部には遊技者が回動した時に弾球を発射することができる把持部を設けたことを特徴とするパチンコ遊技機。
【請求項２】
弾球発射用操作ハンドルの上方に、把持部の回動と連動して弾球の発射速度を表示する弾球速度メータを設けた請求項１に記載のパチンコ遊技機。
【請求項３】
機内に弾球の発射と連動して効果音を発するスピーカーを内蔵した請求項１または２に記載のパチンコ遊技機。
【請求項４】
遊技盤内に動画像を表示可能な表示画面を３面配置した請求項１〜３の何れかに記載のパチンコ遊技機。
【発明の詳細な説明】
【０００１】
【発明の属する技術分野】
本発明は、遊技の興趣を盛り上げて遊技者が楽しく遊技を行うことのできるパチンコ遊技機に関するものである。
【０００２】
【従来の技術】
従来のパチンコ遊技機は、図４に示すように、ガイドレール１によって囲まれた遊技盤２が上部に配設され、遊技盤２には役物３や羽根車４などの他に球入賞口５と、その下方にアウトとなった球の球回収口６が配置されている。遊技者は遊技を行うに当って遊技盤２下方に設けられた丸型の操作ハンドル９を回動することにより上皿７から供給された弾球を遊技盤２内に発射して遊技を行うことができる。なお、８は下皿である。このような従来のパチンコ遊技機においては、興趣を盛り上げるために役物３内の画面３ａの数字をスクロールしたり遊技の状況に応じてランプを点滅させたり効果音を発したりして遊技者に刺激を与えていた。しかしながら長時間遊技を続行しているうちに遊技者は刺激に慣れてしまいただ漫然と弾球を発射しているに過ぎないこともしばしばあった。このような状態では遊技者に十分な満足感や達成感を与えることができない。したがって、従来にない大きな変化を持たせて長時間遊技者を惹き付けることのできるパチンコ遊技機の出現が待望されていた。
【０００３】
【発明が解決しようとする課題】
本発明は上記した従来の問題点を解決し、遊技機にダイナミックな変化をつけて遊技の興趣を盛り上げ、遊技者がより楽しく遊技を行うことのできるパチンコ遊技機を提供するためになされたものである。
【０００４】
【課題を解決するための手段】
上記の課題を解決するためになされた本発明のパチンコ遊技機は、乗り物運転用のハンドル形状とした一対のアームからなる弾球発射用操作ハンドルを遊技盤の下方に突設し、前記アームのうち一方のアームの端部には遊技者が回動した時に弾球を発射することができる把持部を設けたことを特徴とするものである。
【０００５】
なお、弾球発射用操作ハンドルの上方に、把持部の回動と連動して弾球の発射速度を表示する弾球速度メータを設けることができ、機内に弾球の発射と連動して効果音を発するスピーカーを内蔵することができ、さらに、遊技盤内に動画像を表示可能な表示画面を３面配置することができる。
【０００６】
本発明のパチンコ遊技機は、遊技盤の下方に、モーターバイクなどの乗り物の運転用ハンドル形状にデザインした左右一対のアームからなる弾球発射用の操作ハンドルを突設し、これらアームのうち一方のアームの端部には遊技者が回動した時に弾球を発射することができる把持部を設けたので、パチンコ遊技機のデザインを従来とは大きく異なったものとすることができ、したがって、遊技の興趣を大きく盛り上げることができる。
【０００７】
【発明の実施の形態】
以下に図面を参照しつつ本発明の好ましい実施形態を示す。
図１は本発明のパチンコ遊技機の第１の実施形態を示す図であって、このパチンコ遊技機の遊技盤２の下方には上皿と下皿が一体化された球受け皿１０が設けられ、この球受け皿１０の下部から左右に一対のアーム１１、１２からなる弾球発射用操作ハンドル３０が突設されている。この操作ハンドル３０は、モーターバイク、ジェットスキー、スノーモービルなどの小人数が乗れる乗り物の運転用ハンドルをデザインしたものである。アーム１１、１２は先端がやや下方に下がっており、その端部には把持部１３、１４が設けられていて、把持部１３、１４の何れかは回動できるようになっている。遊技者は把持部１３または１４を回動することにより、遊技機内に内蔵された可変抵抗器の抵抗値を調整して、弾球発射槌を駆動させるためにソレノイドに供給される電流を調整する。すなわち、遊技者は把持部１３または１４の回動角度に応じた速度にて弾球を遊技盤２内に打ち込んで遊技を行うことができる。
【０００８】
球受け皿１０の上方には乗り物のスピート゛メータをデザインした演出用の遊技状態表示メータ１５とタコメータをデザインした弾球速度メータ１６とが対をなして配設されている。弾球速度メータ１６は把持部１３または１４と連動してその回動の程度に応じて加速して発射される弾球の速度を表示する。遊技者はこの弾球速度メータ１６を見ながら弾球を発射することができるので一定の速度に安定して弾球を発射することができる。また、遊技状態表示メータ１５は遊技の状態が特定の状態になった時に、例えばいわゆる大当たり前のリーチ状態となった時に、針が繰り返し大きく振れるようになっている。したがって、遊技が特定の状態になったことを遊技者に報知すると共に、遊技者に繰り返し刺激を与えることができる。なお、状態表示メータ１５を弾球速度を表示するものとし、弾球速度メータ１６を遊技状態を表示するものとしても差し支えはない。
【０００９】
また、パチンコ機の機内にはエンジン音を発するスピーカー（図示していない）が設けられており、このスピーカーは把持部１３または１４の回動と電気的に接続されており、遊技者が遊技を開始した時には乗り物の発射時の爆音を轟かせたりする。また、弾球の発射速度に応じて強弱や高低をつけたエンジンの爆音を響かせることができる。なお、通常のＢＧＭを流すためのスピーカーを機内に別途備えることができる。また、遊技盤２の中央には動画像を表示できる３面の表示画面１７、１８、１９が配設されている。中央の表示画面１７は例えば７インチとし左右の表示画面１８、１９は５インチとして配設したうえで、中央の表示画面１７にはサーキットなどでレーシング中のモーターバイクを表示し、左右の表示画面１８、１９には観戦中の観客や観客席を表示するなどすれば、遊技者はあたかもレーサーになった気分にて臨場感を持って遊技を楽しむことができる。なお、表示画面１７、１８、１９には動画像とともに数字を表示して、この数字が３つ揃った時に大当たりが発生するようにすることができる。
【００１０】
アーム１１の把持部１３には、レバー２０とプッシュボタン２１が設けられており、アーム１２の把持部１４には、レバー２３とプッシュボタン２４が設けられている。遊技者はレバー２０を操作することにより必要に応じ弾球の発射を一時ストップさせることができる。レバー２３は表示画面１７、１８、１９に表示されるサーキットなどの画像を選択することができる画像選択レバーであり、選択した画像の種類は複数のランプ２２の点灯切り替えによって表示される。また、プッシュボタン２１はＣＲ機能などを設定するためのボタンであり、プッシュボタン２４はカードの返却や貸し球を要求するためのボタンであって、遊技者はこれらのボタン２１、２４をプッシュすることにより必要に応じ貸し球を要求することができる。
【００１１】
遊技を開始するに当って遊技者はパチンコ遊技機の前面に着座して両手でアーム１１、１２の把持部１３、１４を掴み、把持部１３または１４を回動することにより弾球を遊技盤２の内に発射して遊技を行うことができる。弾球の発射とともに弾球速度メータ１６が作動して弾球の発射速度が表示される。さらに、表示画面１７、１８、１９にサーキットを走行するモーターバイクや観客が動画像で表示される。又、画面に合わせてエンジン音が発せられて遊技者を刺激する。したがって、遊技者はレーサーになった気分で臨場感を持ってパチンコ遊技を楽しむことができる。なお、表示画面１７、１８、１９にはジェットスキーやスノーモービルなどに関連する動画像を表示してもよい。
【００１２】
図２に本発明のパチンコ遊技機の第２の実施形態を示す。この実施形態のパチンコ遊技機は第１の実施形態のパチンコ遊技機と若干デザインは異なるが主たる構成は同じである。すなわち、図２のパチンコ遊技機において、操作ハンドル３０のアーム１１、１２は球受け皿１０にほぼ水平状に突設されており、アーム１１には弾球の発射時に回動される把持部１３と、レバー２０と、プッシュボタン２１が設けられている。また、アーム１２には把持部１４とプッシュボタン２４が設けられている。球受け皿１０の上方には球の発射速度を表示する弾球速度メータ１５が設けられている。
【００１３】
そして、機内には効果音を発生するためのスピーカー（図示していない）が配設されており遊技者を耳から刺激する。また、弾球速度メータ１５の上方で遊技盤２内には、ミラーにデザインした副表示画面２５、２６が一対配設されていて、数字や絵柄を表示する。さらに、遊技盤２の中央には動画像を表示する３面の表示画面１７、１８、１９が配設されていて乗り物走行中の動画像を表示するとともに、数字がスクロール表示などされて、３つの数字が揃った時などにいわゆる大当たりの遊技状態となる。なお、パチンコ遊技機の右上にはモーターバイクの模型２７が配置されており、その後輪は弾球発射中は回転していて後輪に当った球を後方に跳ね返すようになっている。また、遊技盤２の外部には多数のランプ２２が配設されていて、遊技者が選択した画像の種類を表示する。遊技者はレバー２０を操作して適宜画像を選択することにより、気分を切り替えて遊技を楽しむことができる。
【００１４】
なお、図３に示すように、アーム１１、１２には図示のような形状のプッシュボタン２１、２４を配置して、これらのプッシュボタン２１、２４を押すことにより、バックライト２８や点列状のライト２９が点灯されて、モーターバイクがあたかも夜間走行中であるような演出を行うこともできる。
【００１５】
【発明の効果】
以上に説明したように、本発明のパチンコ遊技機は、乗り物運転用のハンドル形状とした一対のアームからなる弾球発射用操作ハンドルを遊技盤の下方に突設し、前記アームのうち一方のアームの端部には遊技者が回動した時に弾球を発射することができる把持部を設けたので、パチンコ遊技機のデザインを従来とは大きく異なったものとすることができて、遊技の興趣を大きく盛り上げることができる。また、弾球発射用操作ハンドルの上方に、把持部の回動と連動して弾球の発射速度を表示する弾球速度メータを設けたので、遊技者は一定の速度で安定して弾球を発射することができる。また、機内に把持部の回動と連動して効果音を発するスピーカーを内蔵したので、遊技者を効果的に刺激することができる。さらに、遊技盤内にサーキットを走行するモーターバイクなどの動画像を表示可能な表示画面を３つ配置したので、遊技者は臨場感を持って遊技を楽しむことができるなど、本発明のパチンコ遊技機は多くの利点を有する。
【図面の簡単な説明】
【図１】第１の実施形態のパチンコ遊技機を示す正面図である。
【図２】第２の実施形態のパチンコ遊技機を示す正面図である。
【図３】第３の実施形態のパチンコ遊技機を示す正面図である。
【図４】従来のパチンコ遊技機の正面図である。
【符号の説明】
２　遊技盤
１１、１２　アーム
１３、１４　把持部
１６　弾球速度メータ
１７、１８、１９　表示画面
３０　操作ハンドル
【図１】
2004049382.tif 000003
【図２】
2004049382.tif 000004
【図３】
2004049382.tif 000005
【図４】
2004049382.tif 000006